(57)【要約】【課題】高ビットレートの映像を記録し、撮像中の映像を無線で送信可能なビデオカメラを提供する。【解決手段】カメラ部１０８と、カメラ部からの映像信号を高ビットレートでエンコードして第一のストリームを出力する第一のエンコーダ１０２と、第一のストリームを記録する記録媒体１１０と、カメラ部からの映像信号を低ビットレートでエンコードして第二のストリームを出力する第二のエンコーダ１０３と、第二のストリームを無線で送信する無線通信手段１０５とを備えたことを特徴とする。【選択図】  図３
2004328636.tif 000002
【特許請求の範囲】
【請求項１】
カメラ部と、該カメラ部からの映像信号を高ビットレートでエンコードして第一のストリームを出力する第一のエンコーダと、前記第一のストリームを記録媒体に記録するための手段と、前記カメラ部からの映像信号を低ビットレートでエンコードして第二のストリームを出力する第二のエンコーダと、前記第二のストリームを無線で送信する無線通信手段とを備えたことを特徴とするビデオカメラ。
【請求項２】
映像の撮影と記録を行うビデオカメラと、該ビデオカメラと無線通信して撮影中の映像をモニタする液晶モニタとを有するビデオカメラシステムであって、
前記ビデオカメラは、カメラ部と、該カメラ部からの映像信号を高ビットレートでエンコードして第一のストリームを出力する第一のエンコーダと、前記第一のストリームを記録媒体に記録するための手段と、前記カメラ部からの映像信号を低ビットレートでエンコードして第二のストリームを出力する第二のエンコーダと、前記液晶モニタをはずした状態において、前記第二のストリームを無線で送信する第１無線通信手段とを備え、
前記液晶モニタは、前記ビデオカメラが送信した前記第二のストリームを受信する第２無線通信手段と、該第２無線通信手段からの前記第二のストリームをデコードして映像信号を出力するデコーダと、該デコーダが出力する映像信号を表示するパネルとを備えたことを特徴とするビデオカメラシステム。
【請求項３】
映像の撮影と記録を行うビデオカメラと、該ビデオカメラと無線通信して撮影中の映像をモニタする液晶モニタとを有し、撮影中の映像を前記液晶モニタでモニタする際に、前記ビデオカメラで、撮影中の映像を高ビットレートで記録するとともに撮影中の映像を低ビットレートで無線で前記液晶モニタに送信することを特徴とするビデオカメラシステムのモニタ方法。
【請求項４】
高ビットストリームからなる第一のストリームが記録された記録媒体からの前記第一のストリームを読み出しデコードして映像信号を出力するデコーダと、該デコーダが出力する映像信号を低ビットストリームでエンコードして第二のストリームを出力するエンコーダと、前記第二のストリームを無線で送信する無線通信手段とを備えたことを特徴とするビデオカメラ。
【請求項５】
映像の再生を行うビデオカメラと、該ビデオカメラと無線通信して再生中の映像をモニタする液晶モニタとを有するビデオカメラシステムであって、
前記ビデオカメラは、高ビットストリームからなる第一のストリームが記録された記録媒体からの前記第一のストリームを読み出しデコードして映像信号を出力するデコーダと、該デコーダが出力する映像信号を低ビットストリームでエンコードして第二のストリームを出力するエンコーダと、前記液晶モニタをはずした状態において、前記第二のストリームを無線で送信する第１無線通信手段とを備え、
前記液晶モニタは、前記ビデオカメラが送信した前記第二のストリームを受信する第２無線通信手段と、該第２無線通信手段からの前記第二のストリームをデコードして映像信号を出力するデコーダと、該デコーダが出力する映像信号を表示するパネルとを備えたことを特徴とするビデオカメラシステム。
【請求項６】
映像の再生を行うビデオカメラと、該ビデオカメラと無線通信して再生中の映像をモニタする液晶モニタとを有し、再生中の映像を前記液晶モニタでモニタする際に、前記ビデオカメラで、高ビットストリームで記録された記録媒体からのストリームを読み出しデコードした映像信号を低ビットストリームで無線で前記液晶モニタに送信することを特徴とするビデオカメラシステムのモニタ方法。
【請求項７】
請求項１，２，４，５のうちいずれか一つの項に記載のビデオカメラまたはビデオカメラシステムにおいて、前記第一のストリームはＭＰＥＧ−２（Ｍｏｖｉｎｇ  Ｐｉｃｔｕｒｅｓ  Ｅｘｐｅｒｔ  Ｇｒｏｕｐ，ＩＳＯ／ＩＥＣ  １３８１８）に基づいて圧縮されていることを特徴とするビデオカメラまたはビデオカメラシステム。
【請求項８】
請求項１，２，４，５のうちいずれか一つの項に記載のビデオカメラまたはビデオカメラシステムにおいて、前記第二のストリームはＭＰＥＧ−４（ＩＳＯ／ＩＥＣ  １４４９６）に基づいて圧縮されていることを特徴とするビデオカメラまたはビデオカメラシステム。
【請求項９】
請求項２または５に記載のビデオカメラシステムにおいて、前記ビデオカメラの前記第１無線通信手段が、前記第二のストリームを送信する前に、前記液晶モニタの前記第２無線通信手段と通信を行い、得られたビットレートに基づいて、請求項２記載の前記第二のエンコーダが前記カメラ部からの映像信号をエンコードするまたは請求項５記載の前記エンコーダが前記デコーダが出力する映像信号をエンコードすることを特徴とするビデオカメラシステム。
【請求項１０】
請求項２または５に記載のビデオカメラシステムにおいて、前記ビデオカメラの前記第１無線通信手段が、前記第二のストリームを送信中に、前記液晶モニタの前記第２無線通信手段と通信を行い、得られたビットレートに基づいて、請求項２記載の前記第二のエンコーダが前記カメラ部からの映像信号をエンコードするまたは請求項５記載の前記エンコーダが前記デコーダが出力する映像信号をエンコードすることを特徴とするビデオカメラシステム。
【請求項１１】
請求項２または５に記載のビデオカメラシステムにおいて、前記液晶モニタは、前記ビデオカメラに制御信号を送る操作パネルを持ち、前記操作パネルから、請求項２記載の前記第二のエンコーダまたは請求項５記載の前記エンコーダに対し、前記第二のストリームの画質を制御する命令を前記第２無線通信手段を通じて前記ビデオカメラに送信することを特徴とするビデオカメラシステム。
【請求項１２】
請求項２または５に記載のビデオカメラシステムにおいて、前記ビデオカメラの前記第１無線通信手段は、外部ネットワークに前記第二のストリームを送信し、前記液晶モニタは、前記外部ネットワークから前記第二のストリームを受信することを特徴とするビデオカメラシステム。
【請求項１３】
請求項２または５に記載のビデオカメラシステムにおいて、前記ビデオカメラと前記液晶モニタがコネクタ接続された場合に、請求項２記載の前記第二のエンコーダまたは請求項５記載の前記エンコーダと前記第１無線通信手段の動作を止めることを特徴とするビデオカメラシステム。
【発明の詳細な説明】
【０００１】
【発明の属する技術分野】
本発明はビデオカメラ、およびビデオカメラと液晶モニタ（液晶モニタを備えた機器も含む）を有するビデオカメラシステムに関するものである。
【０００２】
【従来の技術】
従来、撮影画像もしくは再生画像を表示する液晶モニタを有するビデオカメラにおいて、液晶モニタを着脱可能にし、液晶モニタをビデオカメラ本体からはずした状態において、撮影画像もしくは再生画像を無線通信を用いて液晶モニタに送信し、表示する技術がすでに公開されている（例えば、特許文献１参照）。
【０００３】
【特許文献１】
特開平８−２０５０１６号公報（要約）
【０００４】
【発明が解決しようとする課題】
上記の従来技術では、本体に記録するストリームと、はずした状態の液晶モニタに送信するストリームは同じものを使用する。一般に、無線による通信手段は有線の通信手段と比較して送信可能な最大ビットレートが低い。よって映像を無線路を通じて送信する構成をとった場合、ビデオカメラ本体に記録する映像フォーマットのビットレートが制限される。
【０００５】
また、ビデオカメラ本体に記録したビットレートの高い映像を無線で送信してモニタできると便利である。
【０００６】
また、無線路は外部の影響を受けやすいため、送信可能なビットレートが一定に定まらない。したがって、状況に応じて無線送信するビットレートを変更して、液晶モニタ側で安定した高画質の画像を得るようにするとよい。
【０００７】
さらに、十分なビットレートが確保できない場合に、相反するパラメータである画質やフレームレートを調整して送信する必要があるが、このとき利用者が優先するパラメータを選択できるとよい。
【０００８】
本発明の第１の目的は、高ビットレートの映像を記録し、撮像中の映像を無線で送信可能なビデオカメラを提供することにある。
【０００９】
本発明の第２の目的は、高ビットレートの映像を記録し、撮像中の映像を液晶モニタで確認しながら撮影可能なビデオカメラシステムおよびビデオカメラシステムのモニタ方法を提供することにある。
【００１０】
本発明の第３の目的は、記録した高ビットレートの映像を再生して無線で送信可能なビデオカメラを提供することにある。
【００１１】
本発明の第４の目的は、記録した高ビットレートの映像を再生し、液晶モニタをビデオカメラからはずした状態でモニタ可能なビデオカメラシステムおよびビデオカメラシステムのモニタ方法を提供することにある。
【００１２】
本発明のほかの目的は、さらに他の機能を追加可能なビデオカメラシステムを提供することにある。
【００１３】
【課題を解決するための手段】
本発明による請求項１記載のビデオカメラは、カメラ部と、該カメラ部からの映像信号を高ビットレートでエンコードして第一のストリームを出力する第一のエンコーダと、前記第一のストリームを記録媒体に記録するための手段と、前記カメラ部からの映像信号を低ビットレートでエンコードして第二のストリームを出力する第二のエンコーダと、前記第二のストリームを無線で送信する無線通信手段とを備えたことを特徴とする。
【００１４】
本発明の請求項２記載のビデオカメラシステムは、映像の撮影と記録を行うビデオカメラと、該ビデオカメラと無線通信して撮影中の映像をモニタする液晶モニタとを有するビデオカメラシステムであって、前記ビデオカメラは、カメラ部と、該カメラ部からの映像信号を高ビットレートでエンコードして第一のストリームを出力する第一のエンコーダと、前記第一のストリームを記録媒体に記録するための手段と、前記カメラ部からの映像信号を低ビットレートでエンコードして第二のストリームを出力する第二のエンコーダと、前記液晶モニタをはずした状態において、前記第二のストリームを無線で送信する第１無線通信手段とを備え、前記液晶モニタは、前記ビデオカメラが送信した前記第二のストリームを受信する第２無線通信手段と、該第２無線通信手段からの前記第二のストリームをデコードして映像信号を出力するデコーダと、該デコーダが出力する映像信号を表示するパネルとを備えたことを特徴とする。
【００１５】
本発明の請求項３記載のビデオカメラシステムのモニタ方法は、映像の撮影と記録を行うビデオカメラと、該ビデオカメラと無線通信して撮影中の映像をモニタする液晶モニタとを有し、撮影中の映像を前記液晶モニタでモニタする際に、前記ビデオカメラで、撮影中の映像を高ビットレートで記録するとともに撮影中の映像を低ビットレートで無線で前記液晶モニタに送信することを特徴とする。
【００１６】
本発明の請求項４記載のビデオカメラは、高ビットストリームからなる第一のストリームが記録された記録媒体からの前記第一のストリームを読み出しデコードして映像信号を出力するデコーダと、該デコーダが出力する映像信号を低ビットストリームでエンコードして第二のストリームを出力するエンコーダと、前記第二のストリームを無線で送信する無線通信手段とを備えたことを特徴とする。
【００１７】
本発明の請求項５記載のビデオカメラシステムは、映像の再生を行うビデオカメラと、該ビデオカメラと無線通信して再生中の映像をモニタする液晶モニタとを有するビデオカメラシステムであって、前記ビデオカメラは、高ビットストリームからなる第一のストリームが記録された記録媒体からの前記第一のストリームを読み出しデコードして映像信号を出力するデコーダと、該デコーダが出力する映像信号を低ビットストリームでエンコードして第二のストリームを出力するエンコーダと、前記液晶モニタをはずした状態において、前記第二のストリームを無線で送信する第１無線通信手段とを備え、前記液晶モニタは、前記ビデオカメラが送信した前記第二のストリームを受信する第２無線通信手段と、該第２無線通信手段からの前記第二のストリームをデコードして映像信号を出力するデコーダと、該デコーダが出力する映像信号を表示するパネルとを備えたことを特徴とする。
【００１８】
本発明の請求項６記載のビデオカメラシステムのモニタ方法は、映像の再生を行うビデオカメラと、該ビデオカメラと無線通信して再生中の映像をモニタする液晶モニタとを有し、再生中の映像を前記液晶モニタでモニタする際に、前記ビデオカメラで、高ビットストリームで記録された記録媒体からのストリームを読み出しデコードした映像信号を低ビットストリームで無線で前記液晶モニタに送信することを特徴とする。
【００１９】
本発明の請求項７記載のビデオカメラまたはビデオカメラシステムは、請求項１，２，４，５のうちいずれか一つの項に記載のビデオカメラまたはビデオカメラシステムにおいて、前記第一のストリームはＭＰＥＧ−２（Ｍｏｖｉｎｇ  Ｐｉｃｔｕｒｅｓ  Ｅｘｐｅｒｔ  Ｇｒｏｕｐ，ＩＳＯ／ＩＥＣ  １３８１８）に基づいて圧縮されていることを特徴とする。
【００２０】
本発明の請求項８記載のビデオカメラまたはビデオカメラシステムは、請求項１，２，４，５のうちいずれか一つの項に記載のビデオカメラまたはビデオカメラシステムにおいて、前記第二のストリームはＭＰＥＧ−４（ＩＳＯ／ＩＥＣ  １４４９６）に基づいて圧縮されていることを特徴とする。
【００２１】
本発明の請求項９記載のビデオカメラシステムは、請求項２または５に記載のビデオカメラシステムにおいて、前記ビデオカメラの前記第１無線通信手段が、前記第二のストリームを送信する前に、前記液晶モニタの前記第２無線通信手段と通信を行い、得られたビットレートに基づいて、請求項２記載の前記第二のエンコーダが前記カメラ部からの映像信号をエンコードするまたは請求項５記載の前記エンコーダが前記デコーダが出力する映像信号をエンコードすることを特徴とする。
【００２２】
本発明の請求項１０記載のビデオカメラシステムは、請求項２または５に記載のビデオカメラシステムにおいて、前記ビデオカメラの前記第１無線通信手段が、前記第二のストリームを送信中に、前記液晶モニタの前記第２無線通信手段と通信を行い、得られたビットレートに基づいて、請求項２記載の前記第二のエンコーダが前記カメラ部からの映像信号をエンコードするまたは請求項５記載の前記エンコーダが前記デコーダが出力する映像信号をエンコードすることを特徴とする。
【００２３】
本発明の請求項１１記載のビデオカメラシステムは、請求項２または５に記載のビデオカメラシステムにおいて、前記液晶モニタは、前記ビデオカメラに制御信号を送る操作パネルを持ち、前記操作パネルから、請求項２記載の前記第二のエンコーダまたは請求項５記載の前記エンコーダに対し、前記第二のストリームの画質を制御する命令を前記第２無線通信手段を通じて前記ビデオカメラに送信することを特徴とする。
【００２４】
本発明の請求項１２記載のビデオカメラシステムは、請求項２または５に記載のビデオカメラシステムにおいて、前記ビデオカメラの前記第１無線通信手段は、外部ネットワークに前記第二のストリームを送信し、前記液晶モニタは、前記外部ネットワークから前記第二のストリームを受信することを特徴とする。
【００２５】
本発明の請求項１３記載のビデオカメラシステムは、請求項２または５に記載のビデオカメラシステムにおいて、前記ビデオカメラと前記液晶モニタがコネクタ接続された場合に、請求項２記載の前記第二のエンコーダまたは請求項５記載の前記エンコーダと前記第１無線通信手段の動作を止めることを特徴とする。
【００２６】
【発明の実施の形態】
以下、本発明の実施の形態について、図面を参照しながら詳細に説明する。
【００２７】
図１および図２は本発明の実施の形態の外観を示す図である。図１および図２において、ビデオカメラはビデオカメラ本体１００と液晶モニタ２００から構成される。
【００２８】
図２において、液晶モニタ２００はビデオカメラ本体１００に接続され、撮影を行うときは撮影中の映像を表示し、再生を行うときは再生画像を表示する。
【００２９】
図１に示すように、液晶モニタ２００はビデオカメラ本体１００からはずすことが可能であり、はずしたときには無線路を通じて撮影中の映像および再生画像を表示する。
【００３０】
まず、ビデオカメラ本体１００と液晶モニタ２００の内部構成と、撮影中の動作について説明する。
【００３１】
図３はビデオカメラ本体１００の内部構成を示す図である。カメラ１０８は撮影した映像を電気信号に変換し、映像信号を出力する。マイク１０９は、集音した音声を電気信号に変換し音声信号を出力する。第一のエンコーダ１０２は、カメラ１０８から映像信号、マイク１０９から音声信号をＡＶバス１５０を通じて受け取り、高ビットレートのストリームをエンコードする。高ビットレートのストリームの一例として、ＭＰＥＧ−２（ＩＳＯ／ＩＥＣ  １３８１８）があげられる。記録媒体１１０は第一のエンコーダ１０２が出力する高ビットレートのストリームは記録媒体１１０に記録される。
【００３２】
記録媒体１１０は図示では内蔵した例であるが、外部から装着した例での良く、したがって、第一のエンコーダ１０２が出力する高ビットレートのストリームを、記録媒体１１に記録するための例えば端子を設け、該端子を介して記録媒体１１に供給して記録するようにする。
【００３３】
第二のエンコーダ１０３は、カメラ１０８から映像信号、マイク１０９から音声信号をＡＶバス１５０から受け取り、低ビットレートのストリームをエンコードする。低ビットレートのストリームの一例として、ＭＰＥＧ−４（ＩＳＯ／ＩＥＣ  １４４９６）があげられる。無線通信手段１０５は、第二のエンコーダ１０３が出力する低ビットレートのストリームを無線路に送信する。無線送信手段の一例として、ＩＥＥＥ８０２．１１ｘがあげられる。ＣＰＵ１０１は、第一のエンコーダ１０２、第二のエンコーダ１０３の制御など、ビデオカメラのシステム制御を行う。
【００３４】
デコーダ１０４は再生時に記録媒体１１０からストリームを読み出しデコードを行う。バッテリ１０７はビデオカメラ本体１００に含まれるＣＰＵ１０１、第一のエンコーダ１０２、第二のエンコーダ１０３、デコーダ１０４、無線通信手段１０５、コネクタ１１１などに電源を供給する。
【００３５】
コネクタ１１１とコネクタ１１２が接続されているときは、ＣＰＵ１０１はスイッチ１０６を操作してカメラ１０８の映像、マイク１０９の音声が液晶モニタ２００に出力されるよう制御を行う。このとき、省電力化のため、第二のエンコーダ１０３と無線通信手段１０５の動作を停止させてもよい。
【００３６】
コネクタ１１１とコネクタ１１２が接続されていないときは、ＣＰＵ１０１は第二のエンコーダ１０３が出力する低ビットレートのストリームを無線通信手段１０５を用いて無線路に送信する。
【００３７】
次に図４を用いて液晶モニタ２００の説明を行う。コネクタ１１２はビデオカメラ本体１００のコネクタ１１１と接続し、高ビットレートのストリームを受け取る。無線通信手段２０４は、無線路からビデオカメラ本体１００が送信した低ビットレートのストリームを受け取る。デコーダ２０２は、コネクタ１１２もしくは無線通信手段２０４からストリームを受け取り、デコードを行う。パネル２０５はデコーダ２０２が出力する映像信号を表示する。スピーカ２０６は、デコーダ２０２が出力する音声信号を出力する。
【００３８】
ＣＰＵ２０１は液晶モニタ２００に含まれるＣＰＵ２０１、デコーダ２０２の制御を行う。また、ＣＰＵ２０１は、操作パネル２０７から入力された記録開始、パン、チルト、ズームなどの撮影制御信号を、無線通信手段２０４を用いてビデオカメラ本体１００に送信してもよい。
【００３９】
バッテリ２０３は、コネクタ１１１とコネクタ１１２が接続されていない場合に、液晶モニタ２００に含まれるＣＰＵ２０１、デコーダ２０２に電源を供給する。コネクタ１１１とコネクタ１１２が接続されている場合は、ビデオカメラ本体１００に含まれるバッテリ１０７からコネクタを通じて電源を得る。
【００４０】
図３において、無線通信手段１０５は低ビットレートのストリームを送信するとした。しかし無線通信手段１０５はストリームの送信に先立ち、図４の無線通信手段２０４と通信を行い、実際に通信可能な速度を測定し、ＣＰＵ１０１を通じて第二のエンコーダ１０３のビットレートを設定するようにしてもよい。ストリームの送信中も適宜送信ビットレートの最大値を測定し、ストリームのビットレートを制御してもよい。
【００４１】
また、図４のパネル２０５に図５に示すスライドバーを表示し、画質とフレームレートのどちらを優先するかを利用者に選択させる。ここで画質を選択すれば精細な映像を得ることができ、フレームレートを選択すればなめらかな動きの映像を得ることができる。選択された映像などの情報を無線通信手段２０４を通じて送信し、図３のＣＰＵ１０１を通じて第二のエンコーダ１０３の制御を行ってもよい。図５に示すスライドバーはパネル２０５に表示する方法ではなく、操作パネル２０７にスイッチを設置して選択された映像などの情報を選択させてもよい。
【００４２】
以上、上記の実施の形態によれば、ビデオカメラにおいては、高ビットレートの映像を記録し、撮像中の映像を無線で送信することができる。またビデオカメラと液晶モニタを有する無線通信装置においては、高ビットレートの映像を記録し、撮像中の映像を液晶モニタで確認しながら撮影できる。また液晶モニタに表示する撮影中の映像の画質を調整できるため、妨害する電波が多く、十分な通信ビットレートが確保できない状況でも映像を表示できる。また映像は利用者の好みにより、画質とフレームレートのどちらを優先するかを選択することもできる。
【００４３】
なお、図３において、第二のエンコーダ１０３は、第一のエンコーダ１０２と共有できる情報がある場合、第一のエンコーダ１０２から情報を受け取り構成を簡略化してもよい。共有できる情報とは、ストリームがＭＰＥＧである場合、動きベクトル情報、画面内の複雑度の分布などである。
【００４４】
次に記録媒体に記録した高ビットレートのストリームを再生する場合の、ビデオカメラ本体１００と液晶モニタ２００の内部構成と、動作について説明する。
【００４５】
図３において、デコーダ１０４は記録媒体１１０からストリームを読出し、デコードを行い映像信号、音声信号を出力する。第二のエンコーダ１０３はデコーダ１０４から映像信号、音声信号を受け取り、低ビットレートのストリームをエンコードする。無線通信手段１０５は第二のエンコーダ１０３からストリームを受け取り無線路に送信する。ＣＰＵ１０１は、デコーダ１０４、第二のエンコーダ１０３の制御など、ビデオカメラのシステム制御を行う。
【００４６】
コネクタ１１１とコネクタ１１２が接続されているとき、ＣＰＵ１０１はスイッチ１０６を操作してデコーダ１０４が出力する映像信号、音声信号を液晶モニタ２００に出力するよう制御を行う。このとき、省電力化のため、第二のエンコーダ１０３と無線通信手段１０５の動作を停止させてもよい。
【００４７】
コネクタ１１１とコネクタ１１２が接続されていないとき、ＣＰＵ１０１は第二のエンコーダ１０３が出力する低ビットレートのストリームを無線通信手段１０５を用いて無線路に送信する。
【００４８】
図４に示す液晶モニタの内部の動作は、上記撮影中の説明と同様である。ただし、操作パネル２０７から送る制御信号は再生／早送り／巻き戻しなどの制御命令である。
【００４９】
上記撮影中の説明と同様に、無線通信手段１０５はストリームの送信に先立ち、図４の無線通信手段２０４と通信を行い、実際に通信可能な速度を測定し、ＣＰＵ１０１を通じて第二のエンコーダ１０３のビットレートを設定するようにしてもよい。
【００５０】
また、上記撮影中の説明と同様に、図４のパネル２０５に図５に示すスライドバーを表示し、画質とフレームレートのどちらを優先するかを利用者に選択させ、選択された情報を無線通信手段２０４を通じて送信し、図３のＣＰＵ１０１を通じて第二のエンコーダ１０３の制御を行ってもよい。
【００５１】
以上、上記の実施の形態によれば、ビデオカメラにおいては、記録した高ビットレートの映像を再生して無線で送信することができる。またビデオカメラと液晶モニタを有する無線通信装置においては、記録した高ビットレートの映像を再生し、液晶モニタをビデオカメラからはずした状態でモニタできる。また液晶モニタに表示する再生画像の画質を調整できるため、妨害する電波が多く、十分な通信ビットレートが確保できない状況でも映像を表示できる。また再生映像は利用者の好みにより、画質とフレームレートのどちらを優先するかを選択することもできる。
【００５２】
なお、図３において、第二のエンコーダ１０３はデコーダ１０４からストリーム情報を受け取り、処理を行うことで構成を簡略化してもよい。ストリーム情報とは、動きベクトルやレート配分の情報などである。
【００５３】
次に図６を用いて、本発明の他の実施の形態について説明を行う。本実施の形態では、先に説明したビデオカメラにおいて、ストリームを送信するネットワークの経路に外部ネットワークを経由する構成を説明する。外部ネットワークの一例として、インターネットがあげられる。
【００５４】
図６において、ビデオカメラ本体１００、液晶モニタ２００は、ネットワーク内で相手を識別するための番号、例えばＩＰアドレスを用いて、通信を行う。撮影の場合、ビデオカメラ本体は先に説明した実施の形態で示した方法で低ビットレートのストリームを生成し、外部ネットワーク４００に送信する。液晶モニタ２００は外部ネットワーク４００からストリームを受け取り撮影画像を表示する。再生の場合、ビデオカメラ本体は第二の実施の形態で示した方法で低ビットレートのストリームを生成し、外部ネットワーク４００に送信する。液晶モニタ２００は外部ネットワーク４００からストリームを受け取り再生画像を表示する。
【００５５】
以上、上記他の実施の形態によれば、外部ネットワークを使用するため、無線通信路が使用できないような離れた場所や、通信妨害が多いところでも安定した映像が得られる。
【００５６】
以上の実施の形態において、液晶モニタ２００はビデオカメラ本体に着脱可能な液晶モニタを想定し、ビデオカメラ本体から液晶モニタをはずして、ビデオカメラ本体の映像を無線で液晶モニタに送信する場合について説明した。しかし液晶モニタは液晶モニタ単体だけでなく、液晶モニタを有する例えば携帯電話などの端末機器が有する液晶モニタであってもよく、例えば携帯電話などの端末機器が有する液晶モニタも本発明の範疇である。
【００５７】
【発明の効果】
本発明によれば、高ビットレートの映像を記録し、撮像中の映像を無線で送信可能なビデオカメラを得ることができる。また本発明によれば、高ビットレートの映像を記録し、撮像中の映像を液晶モニタで確認しながら撮影可能なビデオカメラシステムおよびビデオカメラシステムのモニタ方法を得ることができる。また本発明によれば、記録した高ビットレートの映像を再生して無線で送信可能なビデオカメラを得ることができる。また本発明によれば、記録した高ビットレートの映像を再生し、液晶モニタをビデオカメラからはずした状態でモニタ可能なビデオカメラシステムおよびビデオカメラシステムのモニタ方法を得ることができる。また本発明によれば、さらに他の機能を追加可能なビデオカメラシステムを得ることができる。
【図面の簡単な説明】
【図１】本発明の実施の形態の外観を示す図で、液晶モニタをビデオカメラ本体からはずした状態を示す図である。
【図２】本発明の実施の形態の外観を示す図で、液晶モニタをビデオカメラ本体に接続した状態を示す図である。
【図３】ビデオカメラ本体の内部ブロック図である。
【図４】液晶モニタの内部ブロック図である。
【図５】低ビットストリームのエンコードの優先度を選択するスライドバーである。
【図６】本発明の他の実施の形態の外観を示す図である。
【符号の説明】
１００…ビデオカメラ本体、１０１…ＣＰＵ、１０２…第一のエンコーダ、１０３…第二のエンコーダ、１０４…デコーダ、１０５…無線通信手段、１０６…スイッチ、１０７…バッテリ、１０８…カメラ、１０９…マイク、１１０…記録媒体、１１１…コネクタ、１１２…コネクタ、１５０…ＡＶバス、２００…液晶モニタ、２０１…ＣＰＵ、２０２…デコーダ、２０３…バッテリ、２０４…無線通信手段、２０５…パネル、２０６…スピーカ、２０７…操作パネル、４００…外部ネットワーク。
【図１】
2004328636.tif 000003
【図２】
2004328636.tif 000004
【図３】
2004328636.tif 000005
【図４】
2004328636.tif 000006
【図５】
2004328636.tif 000007
【図６】
2004328636.tif 000008